(57)【特許請求の範囲】
【請求項１】
撮影レンズで被写体像を結像して第１の自由画像として表示する光透過型の結像板と、前記結像板の表面に配設されて第２の自由画像を表示するＥＬ（エレクトロルミネッセンス）とで構成されてカメラのファインダ装置に設けられた表示スクリーンと、前記撮影レンズで結像した被写体像を撮像するための撮像素子を備え、前記ＥＬは前記撮像素子で撮像した被写体像を含む画像を前記第２の自由画像として表示し、前記表示スクリーンは前記第１の自由画像としての被写体像と、前記第２の自由画像の被写体像の両方を重ねて表示することを可能にしたことを特徴とする表示スクリーンを備えるカメラ。
【請求項２】
前記ＥＬは透明基板に構成されたフルカラーディスプレイで構成されることを特徴とする請求項１に記載の表示スクリーンを備えるカメラ。
【請求項３】
前記結像板は被写体像の結像面が粗面に形成され、前記ＥＬは前記粗面に接した状態で、あるいは当該粗面に一体的に形成されていることを特徴とする請求項１または２に記載の表示スクリーンを備えるカメラ。
【発明の詳細な説明】
【技術分野】
【０００１】
本発明は情報や画像を表示するためのスクリーンに関し、特に複数の画像を選択して、あるいは重ねて表示することを可能にした表示スクリーンを備えるカメラに関するものである。
【背景技術】
【０００２】
画像を表示させるための表示スクリーンには、画像を投影表示するための投影型の表示スクリーンと、画像を透過表示するための透過型の表示スクリーンがある。前者の投影型の表示スクリーンは白色スクリーンで構成され、例えばプロジェクタ装置の投影スクリーンがある。後者の透過型の表示スクリーンは表面を乳白色化した透明スクリーン等で構成され、例えば一眼レフカメラのファインダ装置の一つとしての焦点板や、液晶表示装置やＣＲＴ装置等のディスプレイ面がある。前記焦点板は透明樹脂平板で形成され、その表面が擦り面等の粗面に加工されたものであり、撮影レンズで被写体の実像を焦点板に結像し、擦り面での光学作用によって当該実像を視認できるようにしたものである。
【０００３】
従来、焦点板に撮影の各種情報を表示して被写体像と共に、あるいは被写体像とは別に当該情報を視認させるために、表示装置を設けて各種情報を焦点板に結像させている。この表示装置としてはＬＣＤ（液晶表示装置）が利用されており、ＬＣＤで表示した情報を光学手段によって焦点板と光学的に等価な光軸上の位置に結像させている。また、特許文献１，２では、このようなＬＣＤに代えてＥＬ（エレクトロルミネッセンス）装置を利用したものが提案されている。すなわち、特許文献１では焦点板の被写体像を表示する領域の周辺領域にＥＬ装置を形成し、このＥＬ装置をＥＬ駆動回路により駆動させることにより必要な情報を表示するように構成することで、焦点板に被写体像と共に、あるいは当該情報のみを表示させ、これをファインダ装置で視認することを可能にしている。また、特許文献２では焦点板にＥＬ装置を重ね、ＥＬ装置で撮影枠を表示する構成が開示されている。なお、特許文献１にはファインダ光学系のプリズムの表面にＥＬ装置を形成した技術も提案されている。
【特許文献１】特開２０００−１３７２６８号公報
【特許文献２】特許第３５３９２５１号公報
【発明の開示】
【発明が解決しようとする課題】
【０００４】
従来の表示スクリーンは投影型、透過型のいずれの表示スクリーンにおいても一つの画像を表示するために用いられており、複数の異なる画像を重ねて表示することは難しい。一方、特許文献１の技術は、焦点板やプリズムの結像面にＥＬ装置を配設することで被写体像と情報を同時に表示させることは可能であるが、特許文献１では被写体像を表示する有効視野の外側領域にＥＬ装置を形成しているため、被写体像に情報を重ねた状態で表示することはできない。また、ＥＬ装置は情報を表示するのみであるので、焦点板に表示される画像は撮影レンズにより結像される被写体像に限られている。特許文献２は被写体像にＥＬ装置の画像を重ねて表示しているが、ＥＬ装置の画像は予め固定的に設定した画像であるため、ＥＬ装置で表示する画像が限定されている点では特許文献１と同じである。そのため、特許文献１，２では表示する画像の自由度が少ないものとなっている。
【０００５】
本発明の目的は、それぞれが予め固定的・定型的に設定されていない複数の画像（例えば、被写体像や動画等のように時間的、空間的に変化する画像、本明細書ではこのような画像を「自由画像」と定義する）を重ねた状態で表示することを可能にした表示スクリーンを備えるカメラを提供するものである。特に、本発明をカメラの焦点板に適用した場合に、被写体の光学像や撮像素子で撮影した画像、あるいは各種情報を重ねて表示することを可能にした表示スクリーンを備えるカメラを提供するものである。
【課題を解決するための手段】
【０００６】
本発明のカメラは、撮影レンズで被写体像を結像して第１の自由画像として表示する光透過型の結像板と、当該結像板の表面に配設されて第２の自由画像を表示するＥＬ（エレクトロルミネッセンス）とで構成されてカメラのファインダ装置に設けられた表示スクリーンと、当該撮影レンズで結像した被写体像を撮像するための撮像素子を備え、ＥＬは撮像素子で撮像した被写体像を含む画像を第２の自由画像として表示し、表示スクリーンは第１の自由画像としての被写体像と、第２の自由画像の被写体像の両方を重ねて表示することを可能にしたことを特徴とする。
【０００７】
ＥＬは透明基板に構成されたフルカラーディスプレイで構成される。また、結像板は被写体像の結像面が粗面に形成され、第２の表面板は当該粗面に接した状態で、あるいは粗面に一体的に形成される。
【発明の効果】
【０００９】
本発明によれば、撮影レンズで被写体像を結像板に第１の自由画像として表示可能とし、当該撮影レンズを用いて撮像素子で撮像した被写体像を含む画像を第２の自由画像としてＥＬに表示可能とし、これら第１の自由画像としての被写体像と第２の自由画像の被写体像を重ねて（スーパーインポーズ）表示することができるので、カメラの焦点板として様々な形態で被写体像の表示を行うことができる。これにより、表示スクリーンでの表示形態を多様化し、カメラでの撮影に際しての利便性を高めることができる。
【実施例１】
【００１０】
次に、本発明の実施例を図面を参照して説明する。図１は本発明をデジタル一眼レフカメラのファインダ装置に適用した実施例１のブロック構成図である。デジタル一眼レフカメラはカメラ本体１と、カメラ本体１に着脱可能な撮影レンズ２を備えている。カメラ本体１は撮影レンズ２で撮影する被写体の被写体像を撮像するためのＣＣＤ素子等からなる撮像素子１０と、被写体像を視認するためのファインダ装置１１と、被写体像をファインダ装置１１の焦点板１２に結像させるためのメインミラー１３とを備えている。前記撮像素子１０の前面には光学ローパスフィルタ１４が配置され、前記焦点板１２の上側にはペンタプリズム１５及び接眼レンズ１６が配設される。また、メインミラー１３の一部のハーフミラー領域の背後に第２ミラー１７が配置され、後述する測距装置１１１での測距を行うように構成される。また、前記ペンタプリズム１５に臨む位置に測光素子１８が配設されている。
【００１１】
このデジタル一眼レフカメラでは、撮影レンズ２で結像する被写体像をメインミラー１３により反射して焦点板１２に結像し、当該焦点板１２に結像された被写体像をペンタプリズム１５により正立像として接眼レンズ１６により撮影者が視認することが可能である。また、メインミラー１３が上動したときにはフォーカルプレーンシャッタ１９が開いたときに被写体像は撮像素子１１により撮像され、後述するように信号処理によって得られた画像をＬＣＤ等からなるモニタ装置で確認することができる。また、本発明では詳細を後述するように当該信号処理によって得られる画像を焦点板１２に表示させ、接眼レンズ１６により視認することも可能とされている。
【００１２】
図２は前記焦点板１２の外観斜視図、図３はその部分分解斜視図である。また、図４はその断面図と一部の拡大図である。焦点板１２は矩形の平板状をした結像板３１と、この結像板３１の表面の周辺領域を除いたほぼ全面にわたって形成された浅い凹部３１１内に埋設されたＥＬ装置３２とで構成される。結像板３１はＰＭＭＡ（アクリル）、ＰＣ（ポリカーボネート）等の厚さ１ｍｍ程度の透明樹脂板で構成され、表面は結像される被写体像を視認させるための拡散面３１２として構成される。ここでは結像板３１の表面に２μｍ程度の微細な凹凸３１２ａを形成して粗面化することで拡散面３１２を構成している。また、ここでは結像板３１は光学コンデンサ機能を持たせており、図の下側の裏面３１３はレンズ面としてあるいはフレネルレンズ面として構成されている。
【００１３】
ＥＬ装置３２はここではフルカラーＥＬディスプレイとして構成されており、図４に示したようにＲ（赤色），Ｇ（緑色），Ｂ（青色）の各画素３２０を平面マトリクス配列したものである。このＥＬディスプレイ３２は透明なフィルムからなる透明基板３２１の表面に前記画素３２０を配列したＥＬ部３２２を形成しており、このＥＬ部３２２では、防湿バリア膜３２３の上にＩＴＯ（Indium Tin Oxide：酸化インジウム錫）からなる25〜100 ｎｍの膜厚の透明な基板側電極３２４が所要パターンに形成され、その上に各画素に対応して絶縁層３２５、発光層３２６、絶縁層３２７が形成される。さらにその上にＩＺＯ（Indium Zinc Oxide ：酸化インジウム亜鉛）電極からなる25〜100 ｎｍの膜厚の透明な表面側電極３２８、防湿バリア層３２９が形成されたものである。このＥＬディスプレイ３２は基板側電極３２４と表面側電極３２８との間に所要の電圧を印加して発光層に高電界を印加することにより発光層３２６がそれぞれ発光して赤色光、緑色光、青色光を出射する。したがって、所望の画素を選択して発光させることで、ＥＬディスプレイ３２において所望のカラーパターン（カラー画像）を表示させることが可能である。また、両電極３２４，３２８間に電圧を印加しないときにはＥＬディスプレイ３２は透明な状態に保たれる。
【００１４】
前記ＥＬディスプレイ３２の透明基板３２１は、厚さが７５μｍ程度のＰＥＴ（ポリエチレンテレフタレート），ＰＥＳ（ポリエーテルサルフォン），ＰＡｒ（ポリアリレート），ＰＣ（ポリカーボネート）等の透明な樹脂フィルムで構成される。前記各絶縁層３２５，３２７は例えば0.2 〜0.3 μｍの膜厚の二酸化シリコン膜が用いられ、前記防湿バリア膜３２３，３２９は例えば同程度の膜厚の窒化シリコン膜が用いられる。発光層３２６は0.5 〜１μｍの厚さであり、無機ＥＬとして構成したときには赤色画素にＣａＳ：Ｅｕ，ＺｎＳ：Ｓｍ等、緑色画素にＺｎ：Ｔｂ等、青色画素にＳｒＳ：Ｃｅ，ＣａＧａ2 Ｓ4：Ｃｅ等が用いられる。また、有機ＥＬとして構成したときには赤色画素にＥｕ（ＤＢＭ）3（Ｐｈｅｎ）（Ｅｕ錯体）、緑色画素にＡｌｑ（８−キノリノラトアルミニウム錯体）、青色画素にＤＰＶＢｉ（ジスチリル誘導体）が用いられる。
【００１５】
そして、前述したように前記ＥＬディスプレイ３２は表面側を結像板３１の表面に向けた状態で前記結像板３１の凹部３１１内に内装され、図には表れないがＥＬディスプレイ３２の周囲に透明なシール材を塗布して両者の各表面間を封止するとともに、両者を一体化して前記焦点板１２を構成している。このとき、ＥＬディスプレイ３２は結像板３１の拡散面３１２に近接ないし接触されているため、結像板３１の結像面とＥＬディスプレイ３２の表示面は同じ光軸上の位置になり、それぞれ接眼レンズ１６の焦点位置に設定できる。また、結像板３１の拡散面３１２は粗面化されているためＥＬディスプレイ３２の表示面との間でニュートンリングが発生するようなことはない。
【００１６】
図１のブロック構成図を再度参照すると、撮像素子１０で撮像された撮像信号はＡ／Ｄ変換器１０１においてデジタルの画像信号に変換される。このデジタル画像信号は信号処理回路１０２においてカラープロセス処理やガンマ補正等の所定の信号処理が施され、圧縮回路１０３において圧縮され、あるいは圧縮されることなくＶＲＡＭ（画像メモリ）１０４に書き込まれる。前記撮像素子１０は、ＣＰＵ１００がクロックジェネレータ１０６を介してＣＣＤドライバ１０５を制御することによって、撮像時における撮像素子１０での蓄積時間を設定することが可能にされている。
【００１７】
前記ＣＰＵ１００は被写体を撮像する際には測距装置１１１で測定した被写体距離に基づいてＡＦ駆動機構１１２を制御する。また、ミラー駆動機構１１３を制御して前記メインミラー１３を動作する。さらに、シャッタ駆動回路１１４を制御してフォーカルプレーンシャッタ１９を開閉制御する。同時に撮影レンズ２内に設けられている絞り２１を絞り駆動機構１１５により制御する。さらに、前記ＣＰＵ１００は、撮影情報用ＬＣＤ１２１及びモニタ用ＬＣＤ１２２に所要のデータを表示するように動作する。また、カメラに付属され、あるいは外付されたストロボ１２３を発光させるストロボ制御部１２４を制御する。さらに、前記測光素子１８の測光出力に基づいて露出制御部１２５を制御する。
【００１８】
また、前記ＣＰＵ１００には、メインスイッチ１３１の操作情報と、図には表れないレリーズボタンの押し込みにより動作される測光スイッチとレリーズスイッチ１３２のスイッチ情報と、各種モードを設定するためのモード設定部材１３３で設定されるモード情報が入力される。ここではモード情報として、「光学像表示モード」，「撮像モニタ表示モード」，「撮像ファインダ表示モード」が選択可能とされている。さらに、ＥＬでの表示を瞬時的に行うためのＥＬ表示釦１３４の操作情報が入力される。また、前記焦点板１２に一体に設けられたＥＬを駆動してＥＬでの表示を行うためのＥＬ駆動回路１２６が設けられており、前記モード設定部材１３３やＥＬ表示釦１３４が操作されたときにＣＰＵ１００はＥＬ駆動回路１２６を動作させてＥＬディスプレイでの表示を行うことが可能とされている。
【００１９】
以上の構成のデジタル一眼レフカメラの動作、特に焦点板１２における被写体像の表示動作について説明する。モード設定部材１３３が「光学像表示モード」に設定されたとき、ＣＰＵ１００はＥＬ駆動回路１２６を動作せず、ＥＬディスプレイ３２を駆動しない。このときＥＬディスプレイ３２は透明な状態とされる。撮影レンズ２で結像される自由画像である被写体像はメインミラー１３で反射されて焦点板１２の結像板３１の拡散面３１２に結像される。この被写体像は透明な状態にあるＥＬディスプレイ３２を透過し、ペンタプリズム１５及び接眼レンズ１６によって視認することができ、撮影者は当該被写体像を視認しながら撮影を行うことができる。すなわち、これまでのデジタル一眼レフカメラの撮影形態と同じである。
【００２０】
モード設定部材１３３が「撮像モニタ表示モード」のとき、メインミラー１５は上動し、撮影レンズ２で結像される被写体像は撮像素子１０によって撮像される。撮像された被写体像の撮像信号は信号処理されて画像信号となり、カメラ本体１の背面のモニタ用ＬＣＤ１２２において自由画像である被写体像として表示される。撮影者はモニタ用ＬＣＤ１２２に表示される被写体像を視認しながら撮影を行うことができる。また、同時に被写体像の画像信号は画像メモリ１０４に記録することが可能である。
【００２１】
モード設定部材１３３が「撮像ファインダ表示モード」のとき、メインミラー１５は上動し、撮影レンズ２で結像される被写体像は撮像素子１０で撮像される。撮像された被写体像は信号処理されて画像信号となり、ＣＰＵ１００はこの画像信号に基づいてＥＬ駆動回路１２６を駆動し、ＥＬディスプレイ３２に自由画像である被写体像を表示する。そのため、焦点板１２にはＥＬディスプレイ３２により被写体像がカラー表示されるので、ペンタプリズム１５及び接眼レンズ１６によって視認することができ、撮影を行うことができる。このときメインミラー１５からの被写体像が結像板３１に結像されることがないことは言うまでもない。
【００２２】
以上のように、ＥＬディスプレイ３２を備えた焦点板１２をデジタル一眼レフカメラに備えることにより、従来の「光学像表示モード」及び「撮像モニタ表示モード」での撮影モードに加えて新たに「撮像ファインダ表示モード」での撮影が可能になる。これによりカメラの撮影時の利便性を高めることができる。「撮像ファインダ表示モード」としては、これまでに撮像素子で撮像した画像を表示するモニタ用ＬＣＤをファインダ光学系内に配設し、ファインダ光学系の光路を切り替えることでファインダ装置を通してモニタ用ＬＣＤの画像を視認することを可能にした技術が提案されているが、この技術では光路を切り替えるための構成が必要であり、カメラの小型化を図る上では好ましくない。この実施例では焦点板１２にＥＬディスプレイ３２を一体化しているためカメラの小型化を図るを上で有利である。また、この「撮像ファインダ表示モード」では、カメラを両手で支持しながらファインダ装置１１を利用しての撮影であるため、モニタ用ＬＣＤ１２２に表示された被写体像を視認しながら撮影を行う場合のようにカメラを撮影者から離して構えての撮影ではないため手ぶれが少なくなる。
【００２３】
ここで、「光学像表示モード」或いは「撮像ファインダ表示モード」のときには、焦点板１２に表示された被写体像をファインダ装置１１を通して視認する際の邪魔にならないＥＬディスプレイ３２の一部、例えば周辺領域に絞りやシャッタースピード等の固定的な画像である撮影情報画像を同時に表示するようにしてもよい。
【００２４】
また、「光学像表示モード」のときでもＥＬ表示釦１３４を押している間だけＥＬディスプレイ３２に表示を行うことが可能である。例えば、ＥＬ表示釦１３４を押したときにはＥＬディスプレイ３２に各種情報のみを表示させるようにしておき、焦点板１２に被写体の光学像を表示させているときにＥＬ表示釦１３４を押して各種情報をＥＬディスプレイ３２によって瞬時的に焦点板１２の周辺領域に表示させるようにすることが可能になる。
【実施例２】
【００２５】
図６は実施例２の焦点板１２Ａの断面図及びその一部拡大図である。ここでは実施例１と等価な部分には同一符号を付してある。ＥＬディスプレイ（ＥＬ装置）３２ＡのフィルムベースをＥＬ基板３２１として実施例１よりも厚く形成して機械的な強度を高めるとともに、周辺領域を除く領域に浅い凹部３２３を形成し、この凹部３２３の表面にＲ，Ｇ，Ｂの各画素３２０で構成されるＥＬ部３２２を形成している。また、ＥＬ基板３２１の下側の裏面３２４はレンズ面又はフレネルレンズ面として構成している。結像板３１Ａは実施例１よりも薄く形成し、微細な凹凸３１２ａを形成した拡散面３１２を下向きにしてＥＬ基板３２１の表面に対向した状態で凹部３２１ａ内に内装している。結像板３１Ａは必要に応じて封止材で封止してＥＬ基板３２１に一体化してもよい。
【００２６】
実施例２の焦点板１２Ａを用いたデジタル一眼レフカメラでは、実施例１と全く同様に焦点板１２Ａに被写体像や各種情報の表示を行うことができ、ファインダ装置１１を通して視認することができる。また、実施例２ではＥＬ基板３２１を厚くして機械的な強度を高めることができるため、ＥＬ部３２２の画素が変形によってダメージを受け難くなり、信頼性を高める上で有効である。また、結像板３１Ａを異なる種類のものに交換することも可能である。
【実施例３】
【００２７】
図７は実施例３の焦点板１２Ｂの断面図及びその一部拡大図である。実施例１と等価な部分には同一符号を付してある。結像板３１Ｂの表面に微小な凹凸３１２ａを形成して拡散面３１２として形成するとともに、この拡散面３１２上にＲ，Ｇ，Ｂの各画素３２０で構成されるＥＬ部３２２を一体的に形成している。すなわち、結像板３１Ｂを実施例１のＥＬ基板と兼用した構成としたものである。
【００２８】
実施例３の焦点板１２Ｂを用いたデジタル一眼レフカメラでは、実施例１，２と全く同様に焦点板１２Ａに被写体像や各種情報の表示を行うことができ、ファインダ装置１１を通して視認することができる。実施例３では実施例１，２のような独立したＥＬ基板が不要になり、構成を簡略化するとともに、焦点板１２Ｂを薄く形成でき、カメラの小型化を図る上で有利になる。また、実施例３では結像板３１ＢがそのままＥＬ基板として機能するため、ＥＬディスプレイ３２Ｂの機械的な強度が向上でき、ＥＬ部３２２の画素が変形によってダメージを受け難くなり、信頼性を高める上で有効である。
【実施例４】
【００２９】
前記実施例１，２，３は本発明の表示スクリーンをデジタル一眼レフカメラの焦点板に適用しているが、コンパクト型のデジタルカメラの実像式の光学ファインダ装置に適用することもできる。図示は省略するが、特許文献１に開示されているように、通常の光学ファインダ装置は対物レンズ系と接眼レンズ系で構成され、これらのレンズ系の間に光学ファインダ装置の撮影範囲を表示するためのファインダ枠が配置されている。したがって、このファインダ枠と光学的に等価な光軸上の位置において、ファインダ枠で囲まれる撮影範囲はもとよりその外側領域を含む領域、すなわち接眼レンズ系を通して視認することが可能な領域にわたってＥＬ装置を配置する。このように光学ファインダ装置にＥＬ装置を配設し、撮像素子で撮像した被写体像をＥＬ装置において表示することで、撮影者は光学ファインダ装置を覗いたままで対物レンズ系で結像される被写体像あるいはＥＬ装置に表示された被写体像を接眼レンズ系を通して視認でき、実施例１〜３のデジタル一眼レフカメラとほぼ同様にファインダ装置を通して被写体像を確認しての撮影を行うことができる。
【００３０】
なお、この実施例４の技術は望遠鏡や双眼鏡についても同様に適用できる。すなわち、望遠鏡や双眼鏡のレンズ系の一部にＥＬ装置を配設し、必要に応じてＥＬ装置での表示を行うことで観察対象物にＥＬ装置で表示した画像を重ねた状態で観察することが可能になる。ＥＬ装置によって方位角や俯仰角を目盛線と共に表示することで観察の利便性を高めることができる。
【実施例５】
【００３１】
次に述べる実施例５，６は本発明の参照例であるが、本発明の表示スクリーンは各実施例のカメラに適用されるのみではなく、図８に示すプロジェクタ等の投影型表示装置にも適用できる。すなわち、プロジェクタ２００の自由画像である投影画像を投影するスクリーン２０１を白色あるいは銀色の反射型スクリーン２０２と、この反射型スクリーン２０２の投写面の全面にわたって一体的に配設したＥＬ装置２０３で構成する。ＥＬ装置２０３は実施例１〜４と同様に透明基板２０４の表面に画素を配設したＥＬ部２０５を形成したものである。また、ＥＬ装置２０３を駆動するためのＥＬ駆動装置２０６を接続する。
【００３２】
このようにすることで、プロジェクタ２００でスクリーン２０１に画像を投写しない状態のときにＥＬ装置２０３で所望の自由画像を表示することで、当該画像のみを表示できる。また、プロジェクタ２００でスクリーン２０１に自由画像を投写しているときにもＥＬ装置２０３で所望の自由画像を表示することで両画像を重ねた、いわゆるスーパーインポーズした画像を表示することができる。これにより種々の形態での画像の表示が可能になり、プロジェクタ装置の利便性が高められる。
【実施例６】
【００３３】
あるいは、図９に示すように、パソコン３００等のディスプレイ３０１の表面、ここではＬＣＤ３０２の表面にＥＬ装置３０３を一体に形成してもよい。このようにすることで、ディスプレイ３０１に画像を表示していない状態のときにＥＬ装置３０３で所望の画像を表示することで、当該画像のみを表示できる。また、ディスプレイ３０１に画像を表示しているときにもＥＬ装置３０３で所望の画像を表示することで両画像をスーパーインポーズした画像を表示することができる。これにより種々の形態での画像の表示が可能になり、ディスプレイの利便性が高められる。これはＴＶ装置についても同様である。また、ＣＲＴ（陰極線管）表示装置等で構成されるディスプレイ装置やＴＶ装置等についても同様である。
【００３４】
本発明は以上の実施例で示した表示面（表示スクリーン）に限られるものではなく、実施例以外の種々の表示面に対してＥＬ装置を配設することで各実施例で説明したと同様な様々な形態での表示を行うことができるという顕著な作用効果を奏するものである。
【図面の簡単な説明】
【００３５】
【図１】実施例１のカメラのブロック構成図である。
【図２】焦点板の外観斜視図である。
【図３】図２の焦点板の分解斜視図である。
【図４】図２の焦点板の断面図とその一部拡大図である。
【図５】ＥＬ部の拡大断面図である。
【図６】実施例２の焦点板の断面図とその一部拡大図である。
【図７】実施例３の焦点板の断面図とその一部拡大図である。
【図８】実施例５の概略斜視図である。
【図９】実施例６の概略斜視図である。
【符号の説明】
【００３６】
１２  焦点板
３１  結像板
３２  ＥＬ装置
３１２  拡散面
３１３  レンズ面
３２０  画素
３２１  透明基板
３２２  ＥＬ部
３２４  基板側電極
３２６  発光層
３２８  表面側電極
【図１】
0005144006.tif 000002
【図２】
0005144006.tif 000003
【図３】
0005144006.tif 000004
【図４】
0005144006.tif 000005
【図５】
0005144006.tif 000006
【図６】
0005144006.tif 000007
【図７】
0005144006.tif 000008
【図８】
0005144006.tif 000009
【図９】
0005144006.tif 000010